(57)【特許請求の範囲】
【請求項１】
無線基地局が第１移動通信ネットワーク及び第２移動通信ネットワークに接続するように構成されており、該第１移動通信ネットワーク及び該第２移動通信ネットワークが別々のコアネットワークを具備している移動通信システムで用いられる移動局であって、
アクセス規制の有無を判定するように構成されている判定部を具備し、
前記第１移動通信ネットワークは、前記無線基地局によって受信された第１報知情報に含まれる移動通信ネットワークリストの１番目に記載されている移動通信ネットワークであり、
前記第２移動通信ネットワークは、前記移動局によるアタッチ手順が成功した移動通信ネットワークであり、
前記判定部は、前記無線基地局によって受信された第２報知情報内で、前記第２移動通信ネットワークに対して適用されるＲ-ＰＬＭＮ（Ｒｅｇｉｓｔｅｒｅｄ-Ｐｕｂｌｉｃ  Ｌａｎｄ  Ｍｏｂｉｌｅ  Ｎｅｔｗｏｒｋ）用ＥＡＢ（Ｅｘｔｅｎｄｅｄ  Ａｃｃｅｓｓ  Ｂａｒｒｉｎｇ）パラメータが、前記第１移動通信ネットワークに対して適用されるＰ-ＰＬＭＮ（Ｐｒｉｍａｒｙ-ＰＬＭＮ）用ＥＡＢパラメータとは別に設定されている場合、該Ｒ-ＰＬＭＮ用ＥＡＢパラメータに基づいて、アクセス規制の有無を判定するように構成されていることを特徴とする移動局。
【発明の詳細な説明】
【技術分野】
【０００１】
本発明は、移動局に関する。
【背景技術】
【０００２】
現在、３ＧＰＰのＬＴＥ（Ｌｏｎｇ  Ｔｅｒｍ  Ｅｖｏｌｕｔｉｏｎ）方式の仕様策定会合では、ＭＴＣ（Ｍａｃｈｉｎｅ  Ｔｙｐｅ  Ｃｏｍｍｕｎｉｃａｔｉｏｎ、機械通信）の実現方法についての議論が盛んに行われている。
【０００３】
ＭＴＣに対応する移動局ＵＥ（以下、移動局ＭＴＣ-ＵＥ）は、例えば、ガスメータや電気メータや自動販売機等の多くの装置で使用されることが想定されている。したがって、移動局ＭＴＣ-ＵＥの数が膨大になることを想定した場合、適切なアクセス規制が必要になる。
【０００４】
現在、移動局ＭＴＣ-ＵＥのためのアクセス規制は、既存のＵＴＲＡＮ（Ｕｎｉｖｅｒｓａｌ  Ｔｅｒｒｅｓｔｉｒｉａｌ  Ｒａｄｉｏ  Ａｃｃｅｓｓ  Ｎｅｔｗｏｒｋ）におけるアクセス規制（ＡＣＢ：Ａｃｃｅｓｓ  Ｃｌａｓｓ  Ｂａｒｒｉｎｇ）をベースに規定されている。
【先行技術文献】
【非特許文献】
【０００５】
【非特許文献１】３ＧＰＰ  ＴＳ２４.３０１
【非特許文献２】３ＧＰＰ  ＴＳ２３.１１２
【非特許文献３】３ＧＰＰ  ＴＳ３６.３０４
【発明の概要】
【発明が解決しようとする課題】
【０００６】
ここで、ＬＴＥ方式では、無線アクセスネットワーク内の無線基地局ｅＮＢが、複数のＰＬＭＮ（Ｐｕｂｌｉｃ  Ｌａｎｄ  Ｍｏｂｉｌｅ  Ｎｅｔｗｏｒｋ、移動通信ネットワーク）或いはコアネットワークに接続するケース、すなわち、複数のＰＬＭＮが、同一の無線基地局ｅＮＢを共有するケースが想定される（図７参照）。
【０００７】
かかるケースであっても、既存のアクセス規制では、移動局ＭＴＣ-ＵＥは、Ｒ-ＰＬＭＮ（Ｒｅｇｉｓｔｅｒｅｄ-ＰＬＭＮ、登録移動通信ネットワーク）とは関係なく、一律、Ｐ-ＰＬＭＮ（Ｐｒｉｍａｒｙ-ＰＬＭＮ、第１移動通信ネットワーク）に対して適用されるＥＡＢ（Ｅｘｔｅｎｄｅｄ  Ａｃｃｅｓｓ  Ｂａｒｒｉｎｇ）パラメータに基づいて、Ｐ-ＰＬＭＮに対するアクセス規制の有無を判定するように構成されている。
【０００８】
ここで、Ｐ-ＰＬＭＮは、無線基地局ｅＮＢによって報知されているＳＩＢ１（Ｓｙｓｔｅｍ  Ｉｎｆｏｒｍａｔｉｏｎ  Ｂｌｏｃｋ  １）に含まれるＰＬＭＮリストの１番目に記載されているＰＬＭＮである。
【０００９】
また、移動局ＭＴＣ-ＵＥが、セル選択処理（Ｃｅｌｌ  Ｓｅｌｅｃｔｉｏｎ）時にＰＬＭＮ選択を行い、選択したＰＬＭＮに対するアタッチ手順が成功した場合、かかるＰＬＭＮが、Ｒ-ＰＬＭＮとなる。
【００１０】
しかしながら、従来の移動通信システムでは、上述のケースにおいて、移動局ＭＴＣ-ＵＥは、必ずＰ-ＰＬＭＮに対して適用されるＥＡＢパラメータに基づいてアクセス規制の有無を判定するように構成されているため、Ｒ-ＰＬＭＮにおいて障害や輻輳が発生した場合であっても、Ｐ-ＰＬＭＮが正常に動作している場合には、Ｒ-ＰＬＭＮに対してアクセスができてしまうという問題点があった。
【００１１】
そこで、本発明は、上述の課題に鑑みてなされたものであり、無線基地局ｅＮＢが複数のＰＬＭＮに接続するケースにおいて、適切にアクセス規制を行うことができる移動局を提供することを目的とする。
【課題を解決するための手段】
【００１２】
本発明の第１の特徴は、無線基地局が第１移動通信ネットワーク及び第２移動通信ネットワークに接続するように構成されている移動通信システムで用いられる機械通信に対応する移動局であって、アクセス規制の有無を判定するように構成されている判定部を具備し、前記第１移動通信ネットワークは、前記無線基地局によって送信された第１報知情報に含まれる移動通信ネットワークリストの１番目に記載されている移動通信ネットワークであり、前記第２移動通信ネットワークは、前記移動局によるアタッチ手順が成功した移動通信ネットワークであり、前記判定部は、前記無線基地局によって送信された第２報知情報内で、前記第２移動通信ネットワークに対して適用される第２機械通信用アクセス規制情報が、前記第１移動通信ネットワークに対して適用される第１機械通信用アクセス規制情報とは別に設定されている場合、該第２機械通信用アクセス規制情報に基づいて、アクセス規制の有無を判定するように構成されていることを要旨とする。
【００１３】
本発明の第２の特徴は、無線基地局が第１移動通信ネットワーク及び第２移動通信ネットワークに接続するように構成されている移動通信システムで用いられる機械通信に対応する移動局であって、アクセス規制の有無を判定するように構成されている判定部を具備し、前記第１移動通信ネットワークは、前記無線基地局によって受信された第１報知情報に含まれる移動通信ネットワークリストの１番目に記載されている移動通信ネットワークであり、前記第２移動通信ネットワークは、前記移動局によるアタッチ手順が成功した移動通信ネットワークであり、前記判定部は、前記無線基地局によって受信された第２報知情報内の機械通信用アクセス規制情報内に、移動通信ネットワークを特定する移動通信ネットワーク指示情報が含まれていない場合には、該機械通信用アクセス規制情報が前記第１移動通信ネットワークに対して適用される第１機械通信用アクセス規制情報であると判定し、該第１機械通信用アクセス規制情報に基づいて、アクセス規制の有無を判定するように構成されており、前記判定部は、前記第２報知情報内の機械通信用アクセス規制情報内に、前記移動通信ネットワーク指示情報が含まれている場合で、かつ、該移動通信ネットワーク指示情報によって特定される移動通信ネットワークが前記第２移動通信ネットワークと同一である場合、該機械通信用アクセス規制情報が該第２移動通信ネットワークに対して適用される第２機械通信用アクセス規制情報であると判定し、該第２機械通信用アクセス規制情報に基づいて、アクセス規制の有無を判定するように構成されていることを要旨とする。
【発明の効果】
【００１４】
以上説明したように、本発明によれば、無線基地局ｅＮＢが複数のＰＬＭＮに接続するケースにおいて、適切にアクセス規制を行うことができる移動局を提供することができる。
【図面の簡単な説明】
【００１５】
【図１】本発明の第１の実施形態に係る移動通信システムの全体構成図である。
【図２】本発明の第１の実施形態に係る移動通信システムにおいて無線基地局によって報知されるＳＩＢ２のフォーマットの一例を示す図である。
【図３】本発明の第１の実施形態に係る移動通信システムにおいて無線基地局によって報知されるＳＩＢ２のフォーマットの一例を示す図である。
【図４】本発明の第１の実施形態に係る移動局の機能ブロック図である。
【図５】本発明の第１の実施形態に係る移動局の動作を示すフローチャートである。
【図６】本発明の第１の実施形態に係る移動局の動作を示すフローチャートである。
【図７】従来の移動通信システムの全体構成図である。
【発明を実施するための形態】
【００１６】
（本発明の第１の実施形態に係る移動通信システム）
図１乃至図６を参照して、本発明の第１の実施形態に係る移動通信システムについて説明する。
【００１７】
図１に示すように、本実施形態に係る移動通信システムは、ＰＬＭＮ＃１と、ＣＮ（コアネットワーク）＃１と、ＰＬＭＮ＃２と、（或いは、ＣＮ＃２）と、無線基地局ｅＮＢとを具備している。
【００１８】
本実施形態に係る移動通信システムでは、無線アクセスネットワーク内の無線基地局ｅＮＢが、複数のＰＬＭＮ＃１/＃２（或いは、ＣＮ＃１/＃２）に接続するように構成されている、すなわち、複数のＰＬＭＮ＃１/＃２が、同一の無線基地局ｅＮＢを共有するように構成されている。
【００１９】
図１の例では、移動局ＭＴＣ-ＵＥにとっては、ＰＬＭＮ＃１が、Ｐ-ＰＬＭＮであり、ＰＬＭＮ＃２が、Ｒ-ＰＬＭＮであるものとする。
【００２０】
また、本実施形態に係る移動通信システムは、ＭＴＣを提供することができるように構成されている。
【００２１】
また、無線基地局ｅＮＢは、配下のセルにおいて、ＥＡＢパラメータを含む報知情報を送信するように構成されている。具体的には、かかるＥＡＢパラメータは、報知情報の一種であるＳＩＢ２によって送信されるように構成されている。
【００２２】
図２及び図３に、かかるＳＩＢ２のフォーマットの一例を示す。図２に示すように、かかるＥＡＢパラメータは、ＳＩＢ２内の情報要素「ａｃ-ＢａｒｒｉｎｇＦｏｒＥＡＢ」によって送信されるように構成されている。
【００２３】
ここで、ＥＡＢパラメータは、ＭＴＣに対応する移動局ＭＴＣ-ＵＥに対して適用されるアクセス規制情報であり、ＭＴＣに対応していない通常の移動局ＵＥは、かかるＥＡＢパラメータを無視する。
【００２４】
例えば、かかるＥＡＢパラメータには、「０」〜「９」のアクセスクラス（ＡＣ：Ａｃｃｅｓｓ  Ｃｌａｓｓ）毎の規制の有無（Ｂａｒ/Ｎｏｔ  Ｂａｒ）を示すビットマップが含まれている。
【００２５】
なお、かかるＥＡＢパラメータには、ＬＴＥ（Ｒｅｌｅａｓｅ-８/９）方式と同様に、「１１」〜「１５」のアクセスクラス毎の規制の有無（Ｂａｒ/Ｎｏｔ  Ｂａｒ）を示すビットマップが含まれていてもよい。
【００２６】
図２及び図３に示すように、かかるビットマップは、ＳＩＢ２内の情報要素「ｅａｂＳｔａｔｕｓ」によって送信されるように構成されている。
【００２７】
また、かかるＥＡＢパラメータには、「Ａ」〜「Ｃ」の「ＵＥ  Ｃａｔｅｇｏｒｙ」を示すビット（カテゴリ情報）が含まれている。
【００２８】
ここで、「ＵＥ  Ｃａｔｅｇｏｒｙ」＝「Ａ」は、ＥＡＢパラメータが適用される移動局ＭＴＣ-ＵＥ（すなわち、ＭＴＣに対応する移動局ＭＴＣ-ＵＥ）が属するカテゴリである。
【００２９】
また、「ＵＥ  Ｃａｔｅｇｏｒｙ」＝「Ｂ」は、ＥＡＢパラメータが適用され、かつ、ローミング中である移動局ＭＴＣ-ＵＥが属するカテゴリである。
【００３０】
さらに、「ＵＥ  Ｃａｔｅｇｏｒｙ」＝「Ｃ」は、ＥＡＢパラメータが適用され、ローミング中であり、かつ、ＵＳＩＭに設定されている「Ｏｐｅｒａｔｏｒ  ｄｅｆｉｎｅｄ  ＰＬＭＮ  ｓｅｌｅｃｔｏｒ  ｌｉｓｔ」内のＰＬＭＮに接続していない移動局ＭＴＣ-ＵＥが属するカテゴリである。
【００３１】
ここで、「Ｏｐｅｒａｔｏｒ  ｄｅｆｉｎｅｄ  ＰＬＭＮ  ｓｅｌｅｃｔｏｒ  ｌｉｓｔ」は、移動局ＭＴＣ-ＵＥが契約中の通信事業者によって指定されているローミング用のＰＬＭＮリストである。
【００３２】
図２及び図３に示すように、かかるカテゴリ情報は、ＳＩＢ２内の情報要素「ｅａｂＣａｔｅｇｏｒｙ」によって送信されるように構成されている。
【００３３】
さらに、かかるＥＡＢパラメータには、「ＰＬＭＮ  ＩＤ  Ｉｎｄｉｃａｔｏｒ」が含まれていてもよい。具体的には、「ＰＬＭＮ  ＩＤ  Ｉｎｄｉｃａｔｏｒ」は、かかるＥＡＢパラメータが、どのＰＬＭＮ用ＥＡＢパラメータであるのかについて示すＰＬＭＮ指示情報である。
【００３４】
ＥＡＢパラメータに、「ＰＬＭＮ  ＩＤ  Ｉｎｄｉｃａｔｏｒ」を含めることによって、Ｐ-ＰＬＭＮ用ＥＡＢパラメータとは別に、複数のＰＬＭＮ用ＥＡＢパラメータを報知することができる。
【００３５】
図２及び図３に示すように、かかる「ＰＬＭＮ  ＩＤ  Ｉｎｄｉｃａｔｏｒ」は、ＳＩＢ２内の情報要素「ｐｌｍｎＩｄＩｎｄｉｃａｔｏｒ」によって送信されるように構成されている。
【００３６】
なお、かかるＥＡＢパラメータには、Ｐ-ＰＬＭＮを特定する情報が含まれていてもよい。
【００３７】
また、上述のＰＬＭＮリストは、報知情報の一種であるＳＩＢ１によって送信されるように構成されている。
【００３８】
図４に示すように、移動局ＭＴＣ-ＵＥは、受信部１１と、判定部１２とを具備している。
【００３９】
受信部１１は、無線基地局ｅＮＢによって送信されている報知情報（例えば、ＭＩＢやＳＩＢ等）を受信するように構成されている。
【００４０】
判定部１２は、受信部１１によって受信されたＭＴＣ用のアクセス規制情報（すなわち、ＥＡＢパラメータ）に基づいて、アクセス規制の有無について判定するように構成されている。
【００４１】
具体的には、判定部１２は、受信したＥＡＢパラメータ内に、「ＰＬＭＮ  ＩＤ  Ｉｎｄｉｃａｔｏｒ」が含まれている場合、かかるＥＡＢパラメータは、かかる「ＰＬＭＮ  ＩＤ  Ｉｎｄｉｃａｔｏｒ」によって特定されるＰＬＭＮ用ＥＡＢパラメータであると判定するように構成されている。
【００４２】
一方、判定部１２は、受信したＥＡＢパラメータ内に、「ＰＬＭＮ  ＩＤ  Ｉｎｄｉｃａｔｏｒ」が含まれていない場合、かかるＥＡＢパラメータは、Ｐ-ＰＬＭＮ用ＥＡＢパラメータであると判定するように構成されている。
【００４３】
また、判定部１２は、報知情報内で、Ｒ-ＰＬＭＮに対して適用されるＲ-ＰＬＭＮ用ＥＡＢパラメータが、Ｐ-ＰＬＭＮに対して適用されるＰ-ＰＬＭＮ用ＥＡＢパラメータとは別に設定されている場合、かかるＲ-ＰＬＭＮ用ＥＡＢパラメータに基づいて、アクセス規制の有無を判定するように構成されている。
【００４４】
一方、判定部１２は、Ｒ-ＰＬＭＮに対して適用されるＥＡＢパラメータ及びＰ-ＰＬＭＮに対して適用されるＥＡＢパラメータが同じである場合、かかるＥＡＢパラメータに基づいて、アクセス規制の有無を判定するように構成されている。
【００４５】
すなわち、判定部１２は、報知情報内で、Ｒ-ＰＬＭＮに対して適用されるＲ-ＰＬＭＮ用ＥＡＢパラメータが、Ｐ-ＰＬＭＮに対して適用されるＰ-ＰＬＭＮ用ＥＡＢパラメータとは別に設定されていない場合、Ｐ-ＰＬＭＮ用ＥＡＢパラメータに基づいて、アクセス規制の有無を判定するように構成されている。
【００４６】
また、判定部１２は、受信したＥＡＢパラメータ内に、Ｒ-ＰＬＭＮを特定する「ＰＬＭＮ  ＩＤ  Ｉｎｄｉｃａｔｏｒ」が含まれている場合、かかるＥＡＢパラメータがＲ-ＰＬＭＮ用ＥＡＢパラメータであると判定し、かかるＲ-ＰＬＭＮ用ＥＡＢパラメータに基づいて、アクセス規制の有無を判定するように構成されていてもよい。
【００４７】
なお、判定部１２は、受信したＥＡＢパラメータ内に、「ＰＬＭＮ  ＩＤ  Ｉｎｄｉｃａｔｏｒ」が含まれているが、Ｒ-ＰＬＭＮを特定する「ＰＬＭＮ  ＩＤ  Ｉｎｄｉｃａｔｏｒ」が含まれていない場合には、アクセス規制がなされていないと判定するように構成されていてもよい。
【００４８】
以下、図５及び図６を参照して、本実施形態に係る移動局ＭＴＣ-ＵＥの動作の一例について説明する。
【００４９】
第１に、図５を参照して、本実施形態に係る移動局ＭＴＣ-ＵＥの動作例１について説明する。
【００５０】
移動局ＭＴＣ-ＵＥは、ステップＳ１０１において、無線基地局ｅＮＢから報知情報に含まれるＥＡＢパラメータを取得すると、ステップＳ１０２において、ＰＬＭＮ＃１及びＰＬＭＮ＃２に対して同じＥＡＢパラメータが報知されているか否かについて判定する。
【００５１】
「Ｙｅｓ」の場合、ステップＳ１０３において、移動局ＭＴＣ-ＵＥは、Ｐ-ＰＬＭＮ用ＥＡＢパラメータに基づいて、アクセス規制の有無を判定する。
【００５２】
「Ｎｏ」の場合、すなわち、Ｐ-ＰＬＭＮに対して適用されるＰ-ＰＬＭＮ用ＥＡＢパラメータとは別のＥＡＢパラメータが報知されていると判定された場合、ステップＳ１０４において、移動局ＭＴＣ-ＵＥは、Ｒ-ＰＬＭＮ用ＥＡＢパラメータに基づいて、アクセス規制の有無を判定する。
【００５３】
なお、ステップＳ１０４において、移動局ＭＴＣ-ＵＥは、Ｒ-ＰＬＭＮ用ＥＡＢパラメータが報知されていないと判定した場合には、アクセス規制がなされていないと判定する。
【００５４】
第２に、図６を参照して、本実施形態に係る移動局ＭＴＣ-ＵＥの動作例１について説明する。
【００５５】
移動局ＭＴＣ-ＵＥは、ステップＳ２０１において、無線基地局ｅＮＢから報知情報に含まれるＥＡＢパラメータを取得すると、ステップＳ２０２において、かかるＥＡＢパラメータに「ＰＬＭＮ  ＩＤ  Ｉｎｄｉｃａｔｏｒ」が含まれているか否かについて判定する。
【００５６】
「Ｙｅｓ」の場合、本動作は、ステップＳ２０４に進み、「Ｎｏ」の場合、本動作は、ステップＳ２０３に進む。
【００５７】
ステップＳ２０３において、移動局ＭＴＣ-ＵＥは、受信したＥＡＢパラメータがＰ-ＰＬＭＮ用ＥＡＢパラメータであると判定し、Ｐ-ＰＬＭＮ用ＥＡＢパラメータに基づいて、アクセス規制の有無を判定する。
【００５８】
一方、ステップＳ２０４において、移動局ＭＴＣ-ＵＥは、かかる「ＰＬＭＮ  ＩＤ  Ｉｎｄｉｃａｔｏｒ」によって特定されるＰＬＭＮと、自身のＲ-ＰＬＭＮとが同一であるか否かについて判定する。
【００５９】
「Ｙｅｓ」の場合、本動作は、ステップＳ２０６に進み、「Ｎｏ」の場合、本動作は、ステップＳ２０５に進む。
【００６０】
ステップＳ２０５において、移動局ＭＴＣ-ＵＥは、アクセス規制がなされていないと判定する。
【００６１】
一方、ステップＳ２０６において、移動局ＭＴＣ-ＵＥは、受信したＥＡＢパラメータがＲ-ＰＬＭＮ用ＥＡＢパラメータであると判定し、Ｒ-ＰＬＭＮ用ＥＡＢパラメータに基づいて、アクセス規制の有無を判定する。
【００６２】
本発明の第１の実施形態に係る移動通信システムによれば、移動局ＭＴＣ-ＵＥが、ＰＬＭＮ＃１（Ｐ-ＰＬＭＮ）及びＰＬＭＮ＃２（Ｒ-ＰＬＭＮ）に対して同じＥＡＢパラメータが報知されているか否かに基づいて、Ｐ-ＰＬＭＮに対するアクセス規制の有無を判定するか、或いは、Ｒ-ＰＬＭＮに対するアクセス規制の有無を判定するかについて切替えることができるため、Ｐ-ＰＬＭＮにおけるアクセス規制の有無への依存度を低減することができる。
【００６３】
以上に述べた本実施形態の特徴は、以下のように表現されていてもよい。
【００６４】
本実施形態の第１の特徴は、無線基地局ｅＮＢがＰ-ＰＬＭＮ（第１移動通信ネットワーク）及びＲ-ＰＬＭＮ（第２移動通信ネットワーク）に接続するように構成されている移動通信システムで用いられるＭＴＣ（機械通信）に対応する移動局ＭＴＣ-ＵＥであって、アクセス規制の有無を判定するように構成されている判定部１２を具備し、Ｐ-ＰＬＭＮは、ＳＩＢ１（第１報知情報）に含まれるＰＬＭＮリスト（移動通信ネットワークリスト）の１番目に記載されているＰＬＭＮであり、Ｒ-ＰＬＭＮは、移動局ＭＴＣ-ＵＥによるアタッチ手順が成功したＰＬＭＮであり、判定部１２は、ＳＩＢ２（第２報知情報）内で、Ｒ-ＰＬＭＮに対して適用されるＲ-ＰＬＭＮ用ＥＡＢパラメータ（第２機械通信用アクセス規制情報）が、Ｐ-ＰＬＭＮに対して適用されるＰ-ＰＬＭＮ用ＥＡＢパラメータ（第１機械通信用アクセス規制情報）とは別に設定されている場合、Ｒ-ＰＬＭＮ用ＥＡＢパラメータに基づいて、アクセス規制の有無を判定するように構成されていることを要旨とする。
【００６５】
本実施形態の第２の特徴は、無線基地局ｅＮＢがＰ-ＰＬＭＮ及びＲ-ＰＬＭＮに接続するように構成されている移動通信システムで用いられるＭＴＣに対応する移動局ＭＴＣ-ＵＥであって、アクセス規制の有無を判定するように構成されている判定部１２を具備し、Ｐ-ＰＬＭＮは、ＳＩＢ１に含まれるＰＬＭＮリストの１番目に記載されているＰＬＭＮであり、Ｒ-ＰＬＭＮは、移動局ＭＴＣ-ＵＥによるアタッチ手順が成功したＰＬＭＮであり、判定部１２は、ＳＩＢ２内のＥＡＢパラメータ（機械通信用アクセス規制情報）内に「ＰＬＭＮ  ＩＤ  Ｉｎｄｉｃａｔｏｒ（移動通信ネットワークを特定する移動通信ネットワーク指示情報）」が含まれていない場合には、かかるＥＡＢパラメータがＰ-ＰＬＭＮ用ＥＡＢパラメータであると判定し、かかるＰ-ＰＬＭＮ用ＥＡＢパラメータに基づいて、アクセス規制の有無を判定するように構成されており、判定部１２は、ＳＩＢ２内のＥＡＢパラメータ内に「ＰＬＭＮ  ＩＤ  Ｉｎｄｉｃａｔｏｒ」が含まれている場合で、かつ、「ＰＬＭＮ  ＩＤ  Ｉｎｄｉｃａｔｏｒ」によって特定されるＰＬＭＮがＲ-ＰＬＭＮと同一である場合、かかるＥＡＢパラメータがＲ-ＰＬＭＮ用ＥＡＢパラメータであると判定し、かかるＲ-ＰＬＭＮ用ＥＡＢパラメータに基づいて、アクセス規制の有無を判定するように構成されていることを要旨とする。
【００６６】
本実施形態の第２の特徴において、判定部１２は、ＳＩＢ２内のＥＡＢパラメータ内に「ＰＬＭＮ  ＩＤ  Ｉｎｄｉｃａｔｏｒ」が含まれている場合で、かつ、かかる「ＰＬＭＮ  ＩＤ  Ｉｎｄｉｃａｔｏｒ」によって特定されるＰＬＭＮがＲ-ＰＬＭＮと同一でない場合、アクセス規制がなされていないと判定するように構成されていてもよい。
【００６７】
なお、上述の無線基地局ｅＮＢや移動局ＭＴＣ-ＵＥ等の動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＭＴＣ-ＵＥ等内に設けられていてもよい。また、かかる記憶媒体及びプロセッサは、ディスクリートコンポーネントとして無線基地局ｅＮＢや移動局ＭＴＣ-ＵＥ等内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ＰＬＭＮ…移動通信ネットワーク
ｅＮＢ…無線基地局
ＭＴＣ-ＵＥ…移動局
１１…受信部
１２…判定部
【図１】
0005345195.tif 000002
【図２】
0005345195.tif 000003
【図３】
0005345195.tif 000004
【図４】
0005345195.tif 000005
【図５】
0005345195.tif 000006
【図６】
0005345195.tif 000007
【図７】
0005345195.tif 000008